(57)【特許請求の範囲】
【請求項１】
無線通信で用いられる指向性アンテナに取り付けられるアンテナの方位合わせ器具を用いたアンテナの方位合わせ方法であって、
前記方位合わせ器具が、中心軸が前記アンテナの主ビーム方位と平行に構成され、目標物側の開口部の穴径に対して作業者目視側の開口部の穴径を大きくした照準穴を備えた方位合わせ器具であり、
前記照準穴の２つの開口部の中心を目標物に対する照準としてアンテナの方位を合わせるアンテナの方位合わせ方法。
【請求項２】
請求項１記載のアンテナの方位合わせ方法であって、
方位合わせ器具が、照準穴には目標物側の開口部と作業者目視側の開口部との間に、中心軸を同じとし、前記作業者目視側の開口部の穴径より径の小さい段差部が設られた方位合わせ器具であり、
前記照準穴の２つの開口部と前記段差部の径のそれぞれの中心を目標物に対する照準としてアンテナの方位を合わせるアンテナの方位合わせ方法。
【請求項３】
無線通信で用いられる指向性アンテナに取り付けられるアンテナの方位合わせ器具を用いたアンテナの方位合わせ方法であって、
前記方位合わせ器具が、中心軸が前記アンテナの主ビーム方位と平行に構成され、穴径の異なる複数の照準穴を備えた方位合わせ器具であって、
目標物を照準できる穴径の照準穴から順次穴径の小さい照準穴に変更してアンテナの方位を合わせるアンテナの方位合わせ方法。
【請求項４】
無線通信で用いられる指向性アンテナに取り付けられるアンテナの方位合わせ器具を用いたアンテナの方位合わせ方法であって、
前記方位合わせ器具が、中心軸がアンテナの主ビーム方位と平行に構成された照準穴と、前記照準穴の作業者目視側の開口部の近傍で前記開口部の中心に対して対称な位置に、前記照準穴から特定の距離及び角度で目視した場合に視認可能な複数の穴又はマークとを備えた方位合わせ器具であり、
前記方位合わせ器具の前記複数の穴又はマークが均等に見える位置から、前記照準穴の作業者目視側の開口部と目標物側の開口部の中心を目標物に対する照準としてアンテナの方位を合わせるアンテナの方位合わせ方法。
【請求項５】
無線通信で用いられる指向性アンテナに取り付けられるアンテナの方位合わせ器具を用いたアンテナの方位合わせ方法であって、
前記方位合わせ器具が、中心軸が前記アンテナの主ビーム方位と平行に構成され、目標物側の開口部の穴径に対して作業者目視側の開口部の穴径を大きくした照準穴を、異なる穴径で複数備えた方位合わせ器具であって、
前記各照準穴の２つの開口部の中心を目標物に対する照準として、目標物を照準できる穴径の照準穴から順次穴径の小さい照準穴に変更してアンテナの方位を合わせるアンテナの方位合わせ方法。
【発明の詳細な説明】
【技術分野】
【０００１】
本発明は、屋外に設置され通信周波数帯が準ミリ波帯、ミリ波帯等または光通信等で使用されるペンシルビーム特性等の指向性を有するアンテナにおいて、アンテナ設置におけるアンテナの方位をあわせる方法に関する。
【背景技術】
【０００２】
通信事業者の通信網や加入者系無線装置および自営回線用の無線装置は、周波数の有効利用と広帯域システムの特性から、周波数が比較的潤沢な準ミリ波帯、ミリ波帯等が多くまた、光通信等も使われている。特に前者では、これらの無線装置のアンテナは高い利得が得られるペンシルビーム特性を有するパラボラアンテナや複数のアンテナ単位素子をアレイ状に配置した平面アンテナが使われている。これら指向性を有するアンテナの方位を合わせる方法としては、図８に示すような光学式照準器を方位を合わせようとするアンテナの主ビームと平行にとりつけ、肉眼により対向アンテナ等の目標物を図９のような目盛り線の中心になるように合わせる方法が用いられてきた。
しかしながら、光学式照準器は高価であり、アンテナ本体よりも高額になることがあるため、標準的に添付することができず、アンテナ設置工事の治工具として用いられることも多い。特に、大きな送信電力を得ることが技術的に難しい準ミリ波、ミリ波、光の通信では利得の大きいペンシルビームアンテナは不可欠であり、この周波数帯の利用促進には、この方位をあわせる手段の経済化が大きな課題となっている。【０００３】
また、上記課題を解決する手段として、アンテナ部の周辺部分に形成された覗き穴の中心軸と、アンテナ部及び無線部を柱に取り付けるための取付け金具に形成された覗き穴の中心軸が、いずれもアンテナ部の指向性方向と同一の方向であり、これらの中心軸が同一の直線上に配置されるように設置された加入者局アンテナがある。
しかしながら、目標物側の開口部と作業者目視側の開口部の距離が充分に開かないと精度がでないという問題があった。【０００４】
図６を例として説明する。
目標物側の開口部６Ｂと作業者目視側の開口部６Ｃの距離Ｈが近いと、覗きこむ視覚位置６Ａの位置、つまりは距離Ａによってズレが生じてしまう。そのときの照準穴構成物の見え方は図７の通りである。つまり、この例では図７中の距離ｈが大きく見えているが、照準穴構成物の厚みとなる距離Ｈと目標物側の開口部６Ｂから覗きこむ視覚位置６Ａまでの距離Ａの比によって、距離Ｈが小さくなるか、距離Ａが大きくなるかによって目標物側の開口部６Ｂと作業者目視側の開口部６Ｃが重なってしまい判別不能となる。その場合には視覚点やの位置がズレていることの判断ができないので、適正なアンテナの向きとして設置できないことが生じてしまう。
【特許文献１】特開２００４−７２５５７号公報
【発明の開示】
【発明が解決しようとする課題】
【０００５】
解決しようとする課題は、アンテナ設置時に、目標物、つまりは対向するアンテナに対して主ビームの方向を適切にして、経済的かつ精度良くアンテナを設置することである。
また、本発明は、アンテナの方位調整の作業に不慣れな作業者であっても、適正な位置及び角度で方位合わせの照準穴を覗くことができ、より正確にアンテナの方位調整を行うことができるアンテナの方位合わせ方法を提供することを目的とする。
【課題を解決するための手段】
【０００６】
本発明は、上記課題を鑑みて為されたものであり、無線通信で用いられる指向性アンテナに取り付けられるアンテナの方位合わせ器具を用いたアンテナの方位合わせ方法であって、方位合わせ器具が、中心軸がアンテナの主ビーム方位と平行に構成され、目標物側の開口部の穴径に対して作業者目視側の開口部の穴径を大きくした照準穴を備えた方位合わせ器具であり、照準穴の２つの開口部の中心を目標物に対する照準としてアンテナの方位を合わせることを特徴としている。【０００７】
また、本発明は、無線通信で用いられる指向性アンテナに取り付けられるアンテナの方位合わせ器具を用いたアンテナの方位合わせ方法であって、方位合わせ器具が、中心軸がアンテナの主ビーム方位と平行に構成された照準穴と、照準穴の作業者目視側の開口部の近傍で前記開口部の中心に対して対称な位置に、照準穴から特定の距離及び角度で目視した場合に視認可能な穴又はマークとを備えた方位合わせ器具であり、方位合わせ器具の複数の穴又はマークが均等に見える位置から、照準穴の作業者目視側の開口部と目標物側の開口部の中心を目標物に対する照準としてアンテナの方位を合わせることを特徴としている。
【発明の効果】
【０００８】
本発明のペンシルビーム特性等の指向性を有するアンテナの方位合わせ方法は、高価な照準器を用いることなく、簡単な構造で確実に、精度良くアンテナの方位合わせ作業を実施することができ、大幅な経済化を実現できる点である。
また、本発明によれば、中心軸が前記アンテナの主ビーム方位と平行に構成され、目標物側の開口部の穴径に対して作業者目視側の開口部の穴径を大きくした照準穴を備えた方位合わせ器具を用いて、照準穴の２つの開口部の中心を目標物に対する照準としてアンテナの方位を合わせるアンテナの方位合わせ方法としているので、目標物の位置のずれを見やすくすることができ、簡易な構造で確実にアンテナの方位合わせを行うことができる効果がある。【０００９】
また、本発明によれば、中心軸がアンテナの主ビーム方位と平行に構成された照準穴と、照準穴の作業者目視側の開口部の近傍で前記開口部の中心に対して対称な位置に、照準穴から特定の距離及び角度で目視した場合に視認可能な複数の穴又はマークとを備えたアンテナの方位合わせ器具を用い、方位合わせ器具の複数の穴又はマークが均等に見える位置から、照準穴の作業者目視側の開口部と目標物側の開口部の中心を目標物に対する照準としてアンテナの方位を合わせるアンテナの方位合わせ方法としているので、作業者は、照準穴を覗く際に、複数の穴又はマークが均等に見えることを確認するだけで、適正な距離及び角度で照準穴を覗くことができ、不慣れな作業者でも正しい位置からアンテナの方位合わせを行うことができ、方位合わせの精度を向上させることができる効果がある。
【図面の簡単な説明】
【００１０】
【図１】図１は、本発明におけるアンテナ取付の一実施例である。
【図２】図２は、本発明の第１の実施例における照準穴構成物及び目標物の見え方である。
【図３】図３は、本発明の第２の実施例における照準穴構成物及び目標物の見え方である。
【図４】図４は、本発明の第３の実施例における照準穴構成物及び目標物の見え方である。
【図５】図５は、本発明の第４の実施例における照準穴構成物及び目標物の見え方である。
【図６】図６は、従来技術のアンテナの方位を合わせ方法である。
【図７】図７は、従来技術の照準穴構成物による照準穴及び目標物の見え方である。
【図８】図８は、従来技術ので用いた光学式照準器である。
【図９】図９は、従来技術で用いた光学式照準器による見え方である。
【図１０】図１０（ａ）は、本発明の第５の実施例に係る照準穴構成物及びアンテナの方位合わせ方法を示す断面説明図であり、（ｂ）は、適正位置から覗いた場合の目標物の見え方を示す説明図である。
【図１１】図１１（ａ）は、第５の実施例の照準穴構成物を用いて近すぎる位置からアンテナの方位を合わせようとした場合を示す断面説明図であり、（ｂ）は、その場合の目標物及び面Ｇの見え方を示す説明図である。
【図１２】図１２（ａ）は、第５の実施例の照準穴構成物を用いて上にずれた位置からアンテナの方位を合わせようとした場合を示す断面説明図であり、（ｂ）は、その場合の目標物及び面Ｇの見え方を示す説明図である。
【図１３】図１３は、第５の実施例において距離が離れた場合の見え方を示す説明図である。
【図１４】図１４は、穴Ｆ１及びＦ２を傾けて形成した場合の見え方を示す説明図である。
【図１５】図１５（ａ）は、本発明の第６の実施例に係る照準穴構成物及びアンテナの方位合わせ方法を示す断面説明図であり、（ｂ）は、適正位置から覗いた場合の目標物の見え方を示す説明図である。
【図１６】図１６（ａ）は、本発明の第７の実施例に係る照準穴構成物の裏面斜視図であり、（ｂ）は正面斜視図である。
【図１７】図１７（ａ）は、第７の実施例に係る照準穴構成物の正面図、（ｂ）は側面図、（ｃ）は裏面図である。
【図１８】図１８（ａ）は、第７の実施例の方位合わせ器具（構成例１）の斜視図、（ｂ）は、照準穴の形状の説明図である。
【図１９】図１９（ａ）は、第７の実施例の方位合わせ器具（構成例２）の斜視図、（ｂ）は、照準穴の形状の説明図である。
【図２０】図２０は、第７の実施例の方位合わせ器具（構成例３）の斜視図である。
【符号の説明】
【００１１】
１１  アンテナ
１２  取付ポール
１３  アンテナ取付金具
１４  仰角調整機構
１５  照準穴構成物
１６ａ，１６ｂ，１６ｃ  照準穴
２Ｂ，３Ｂ，４Ｂ，４Ｄ，６Ｂ，Ｂ  照準穴構成物の目標物側の開口部
２Ｃ，３Ｃ，４Ｃ，４Ｅ，６Ｃ，Ｅ  照準穴構成物の作業者目視側の開口部
３Ｄ  段差面３Ｅにおける段差点
３Ｅ  段差面
６Ａ  視覚位置
Ｆ１，Ｆ２  穴
Ｇ１，Ｇ２  面
Ｋ１，Ｋ２  マーク
【発明を実施するための最良の形態】
【００１２】
照準穴の目標物側の開口部の穴径に対して作業者目視側の開口部の穴径を大きくした中心軸を同じとする照準穴を設けることで実現した。
【実施例１】
【００１３】
以下に本発明の実施の形態について図を用いて一実施例を説明する。
図１は本発明におけるアンテナ取付の一実施例であり、図２は本発明の図１におけるアンテナの方位を合わせ方法の一実施例となる第１の実施例である。
本発明の構成は、図１に示すように、アンテナ１１にはアンテナの方位合わせ器具として照準穴構成物１５が備えられ、取付ポール１２にアンテナ１１がアンテナ取付金具１３によって取り付けられ、アンテナ取付金具１３には仰角調整機構１４が備えられている。アンテナ取付金具１３の調整方向には、取付ポール１２に対して左右に振る方向と、アンテナ取付金具１３自身に仰角調整機構を設けて上下に振る方向との２つがある。
図２に第１の実施例となる照準穴構成物及び目標物の見え方を示す。全体的なアンテナの方位合わせの方法は従来技術である図６とほぼ同じであるが、特徴となるのは、照準穴構成物であり、図２では目標物側の開口部２Ｂの穴径より作業者目視側の開口部２Ｃの穴径を大きくし、従来技術である図６の目標物側の開口部６Ｂと作業者目視側の開口部６Ｃの距離Ｈと同一の距離Ｈでも、目標物側の開口部と作業者目視側の開口部のずれを大きく見せることで、よりアンテナの方位を合わせる作業を容易にすることができる。
このように目標物側の開口部の穴径に対して作業者目視側の開口部の穴径を大きくした中心軸を同じとする穴、つまりは２つの開口部をテーパ状にすることは、量産性を考慮した場合に、樹脂成形やダイカスト成形に適しており、照準穴構成物１５そのものを大幅に安く製作可能とすることができる。
尚、照準穴構成物１５に設ける穴は、円ではなく、楕円、長方形等の様々な形状を用いることでも十分にアンテナの方位を合わせる作業を容易にすることができる。
【実施例２】
【００１４】
以下に本発明の実施の形態について図を用いて次の一実施例を説明する。
図３は本発明の図１におけるアンテナの方位を合わせ方法の第２の実施例となる照準穴構成物及び目標物の見え方を示す。
図３では、目標物側の開口部３Ｂの穴径より作業者目視側の開口部３Ｃの穴径を大きくしていることは上記の実施例とほぼ同じであるが、特徴は、更に照準穴には目標物側の開口部３Ｂと作業者目視側の開口部３Ｃとの間に中心軸を同じとした段差面３Ｅが設られ、段差面を備えることで更に照準穴を覗いた時にの視覚上の照準が容易に合わせることができるようになり、境界を目立たせて覗きズレを判りやすくすることができる。また、作業者目視側の開口部３Ｃと段差面３Ｅにおける段差点３Ｄで視覚的に生じる図３中のｈ１が小さく見えるので、目標物側の開口部からの入射光による乱反射を抑えることができる。
この照準穴のように段差を作ることは少数生産時などのドリル加工に適しており、照準穴構成物そのものを大幅に安く製作可能となる。また、段差面Ｅの色を変えたり、目盛を設けたりして上下左右の隙間を合わせ易くすることも可能とすることができる。
また、上記実施例の図３中では段差面Ｅを目標物側の開口部側に設けているが、段差面Ｅを目標物側の開口部側に設けることに限定されるものではなく、図３中に点線で示したように段差面の数を増やすことや、段差面の位置を変えることでも実現できる。特に段差面の数を増やすことは、照準とする基準合わせが更に容易となり、また、作業者目視側の開口部３Ｃと視覚位置の距離が狭まった場合に有効となる。
【実施例３】
【００１５】
以下に本発明の実施の形態について図を用いて次の一実施例を説明する。
図４は本発明の図１におけるアンテナの方位を合わせ方法の第３の実施例となる照準穴構成物及び目標物の見え方を示す。
図４は、照準穴構成物に径の異なる穴を複数設けたものである。この実施例では、目標物までの距離が近いときは照準穴の径が大きな４Ｄ−４Ｅを使い、目標物までの距離が遠いときは照準穴の径が小さな４Ｂ−４Ｃを使うとか、アンテナの方位を合わせる際に、穴の径が大きな照準穴で粗調整し、穴の径が小さな照準穴で精調整するといったように、照準穴を使い分けることによって、アンテナの方位を合わせる作業効率を一層向上させることができる。
【実施例４】
【００１６】
以下に本発明の実施の形態について図を用いて次の一実施例を説明する。
図５は本発明の図１におけるアンテナの方位を合わせ方法の第４の実施例となる照準穴構成物及び目標物の見え方を示す。
図５では覗き穴が円ではなく、上下に長い穴と左右に長い穴との２つの穴を備えている。この実施例では、取付金具の調整方向との一致が行える。図１に示したとおり、一般的にアンテナ取付金具は取付ポールと称するような棒に固定される。アンテナ取付金具の調整方向には、取付ポールに対して左右に振る方向と、取付金具自身に仰角調整機構を設けて上下に振る方向との２つがある。上下方向にズレた状態で左右方向を調整するときに穴５Ａを用いて行い、逆に左右方向にズレた状態で上下方向を調整するときに穴５Ｂを用いる。この方法により、従来上下左右を交互に調整しながら方向を合わせていたのに対して、双方一度で調整することができる。
また、上記では上下左右方向でのアンテナの方位を合わせる方法について説明したが、上下左右方向に限定されるものではなく、取付金具の調整方法との兼ね合いで角度が変わっても良いし、また複数の穴を設けることで多角度に対応できるようにすることで実現しても良い。
【実施例５】
【００１７】
次に、本発明の第５の実施例となる照準穴構成物及びアンテナの方位合わせ方法について図１０を用いて説明する。図１０（ａ）は、本発明の第５の実施例に係る照準穴構成物及びアンテナの方位合わせ方法を示す断面説明図であり、（ｂ）は、適正位置から覗いた場合の目標物の見え方を示す説明図である。
上述したように、本発明の実施の形態に係る照準穴構成物（アンテナの方位合わせ器具）を用いてアンテナの方位を合わせる際には、２つの照準穴（作業者目視側の開口部Ｃと、目標物側の開口部Ｂ）と、目標物とが「同心円」となるように調整する。しかし、このとき、作業者の目と作業者目視側の開口部Ｃとの距離が離れると、穴径が小さく見えるので、「同心円」の判別精度が低下してしまう。【００１８】
また、ずれの許容度、つまりどの程度のずれまでを「同心円」と判断するかは個人差があり、作業者の判断に依存する。特に、照準合わせの作業に不慣れな作業者は、誤った覗き方で照準穴構成物を覗いてしまい、「同心円」の判断を誤って適切な方向調整ができない場合がある。【００１９】
第５の実施例となる照準穴構成物及びアンテナの方位を合わせる方法では、作業に不慣れな作業者であっても、正しい覗き方で照準穴を覗くことができ、アンテナ方向調整の精度を向上させることができるものである。【００２０】
図１０（ａ）に示すように、第５の実施例となる照準穴構成物は、照準穴の作業者目視側の開口部Ｃ（以下、「開口部Ｃ」とする）の上下に、開口径が小さい別の穴Ｆ１，Ｆ２を設けたものであり、作業者は、穴Ｆ１及びＦ２の底面に相当する面Ｇ１，Ｇ２の見え方によって上下方向の視野角のずれ及び照準穴構成物からの距離が適正か否かを判断して、面Ｇ１及びＧ２の見え方が上下均等となるように覗く角度及び距離を調節して、正しい覗き方で照準穴を覗くことができるようにしたものである。【００２１】
穴Ｆ１及びＦ２は、照準穴の作業者目視側の開口部Ｃの中心に対して対称な位置に、同一形状に形成された穴であって、ここでは、中心軸は照準穴の中心軸と平行に設けられている。
また、第５の実施例の特徴として、穴Ｆ１及びＦ２は、作業者が、適正な距離から正しい角度で開口部Ｃを覗いたときにのみ、その底面となる面Ｇ１及びＧ２がよく見えるよう形成されている。図１０（ａ）では、距離Ａは適切な距離となっている。【００２２】
面Ｇ１及びＧ２は、開口部の小さい穴Ｆ１及びＦ２の底面であり、開口部Ｃの中心に対して対称となる位置にあるため、上下のいずれかに傾いた視野では、面Ｇ１及びＧ２の一方がよく見えて他方が全く見えなかったり、見え方に差があったりして、両方の面を均等に見ることはできない。【００２３】
つまり、図１０（ｂ）に示すように、作業者が、面Ｇ１及びＧ２が同じようによく見える位置から照準穴を覗くと、正しい距離及び上下の傾きがない角度で照準穴を覗いていることになり、照準穴構成物の開口部Ｃ、開口部Ｂ及び目標物が「同心円」となっているか否かの判定を正確に行って、アンテナの方位合わせを正確に行うことができるものである。作業者は、面Ｇ１及びＧ２が均等に見えるように自分の位置及び姿勢を調整すればよく、作業に不慣れな作業者でも正確にアンテナの方位合わせを行うことができるものである。【００２４】
第５の実施例では、穴Ｆは２個のみとしているが、２個以上であれば３個でも４個でも、あるいはもっと多くてもよい。穴Ｆを多数設ける場合も、開口部Ｃの中心に対して対称な位置に設けることが望ましい。穴Ｆを開口部Ｃの上下左右に設けた場合には、開口部Ｃに対して上下左右の傾きがないことが確認できる。そして、全ての穴Ｆにおける面Ｇの見え方が均等となるように作業者が照準穴を覗く距離及び角度を調整することによって、照準穴に正対した状態で、より正確な距離及び角度で照準穴を覗くことができ、アンテナの方位合わせ精度を向上させることができるものである。【００２５】
また、穴Ｆ１及びＦ２の深さ及び開口部の穴径は、作業者が正しい距離及び角度で照準穴を覗いたときに面Ｇ１及びＧ２が見える程度の深さ及び大きさに形成されている。穴Ｆ１及びＦ２の深さ及び開口部の大きさによって、作業者の覗く位置及び角度の許容度が決まるので、要求されるアンテナの方位合わせ精度と作業効率とを考慮して、効率を低下させずに要求される精度を保てる程度に穴Ｆ１及びＦ２の深さ及び穴径を決定する。【００２６】
更に、面Ｇ１及びＧ２を見やすくするために、面Ｇ１及びＧ２の裏側（奥側）に相当する開口部Ｂ側の照準穴構成物の材質を変えたり、面Ｇ１及びＧ２から開口部Ｂ側の面までの厚みを薄くして光を通しやすくすることが考えられる。又は、穴Ｆ１及びＦ２を貫通させて面Ｇ１及びＧ２を開口部としてもよい。
また、面Ｇ１及びＧ２を、穴Ｆ１及びＦ２の内側面や照準穴構成物の作業者目視側の開口部Ｃが設けられている面とは異なる見やすい色で塗ってもよい。
ここでは、穴Ｆの形状を断面形状が円となるよう形成しているが、これに限らず、例えば開口部Ｃの周囲を取り囲む溝のような形状であってもよい。【００２７】
次に、第５の実施例の照準穴構成物を用いた場合の覗き方及び見え方について図１１及び図１２を用いて説明する。図１１（ａ）は、第５の実施例の照準穴構成物を用いて近すぎる位置からアンテナの方位を合わせようとした場合を示す断面説明図であり、（ｂ）は、その場合の目標物及び面Ｇの見え方を示す説明図である。
図１１（ａ）に示すように、近すぎる位置から覗いた場合は、距離Ａが小さすぎて、穴Ｆ１及びＦ２の底面Ｇ１及びＧ２は視野角（目視可能な角度範囲）の外となって、作業者は面Ｇ１及びＧ２を見て確認することはできない。【００２８】
図１１（ｂ）に示すように、近すぎる場合の見え方は、目標物は見えるが、穴Ｆ１及びＦ２の底面である面Ｇ１及びＧ２のエッヂ部分が全く見えない。このことで、作業者は、この位置は照準穴から近すぎることを認識できるものである。【００２９】
図１２（ａ）は、第５の実施例の照準穴構成物を用いて上にずれた位置からアンテナの方位を合わせようとした場合を示す断面説明図であり、（ｂ）は、その場合の目標物及び面Ｇの見え方を示す説明図である。
図１２（ａ）に示すように、適正な距離Ａの位置から覗いた場合でも、上にずれた位置から覗いていると、視野が上に偏り、上の方にある穴Ｆ２の面Ｇ２は見えるが、下の方にある穴Ｆ１の面Ｇ１は視野の外になり、全く見えない。
そして、図１２（ｂ）に示すように、上にずれた位置から覗いていると、穴Ｆ１の面Ｇ１が見えないことから、作業者は、この位置は適正ではないことがわかる。【００３０】
次に、照準穴構成物の開口部Ｃと作業者の目との距離が離れた場合について図１３を用いて説明する。図１３は、第５の実施例において距離が離れた場合の見え方を示す説明図である。
図１３に示すように、上下の面Ｇ１及びＧ２が見える範囲は、適正な距離Ａより離れた距離Ａ′から覗いた場合、広がっていくようになっている。具体的には、視野角をαとし、視野角のずれをβとすると、β≦α／２であれば、どこでも面Ｇ１及びＧ２が見えることになる。しかし、距離が離れると、目標物側の開口部Ｂの先に見える視野が狭くなって、目標物を捉える範囲が狭くなるため、作業者が見づらくなければ、距離が離れても結果的には適正な位置から覗いた場合の調整結果とあまり相違はない。【００３１】
また、穴Ｆの大きさを小さくしたり、穴の深さを変えることにより、実際に面Ｇ１及びＧ２を目視できる距離を制限することも可能である。例えば、１mm程度の穴径で深さ１５mmの穴とした場合、１ｍ離れた場所から面Ｇ１及びＧ２を視認することは容易ではなく、より近い場所のみを適正距離とすることができる。【００３２】
また、距離をより厳しく制限するために穴Ｆ１及びＦ２を傾けて形成することも可能である。図１４は、穴Ｆ１及びＦ２を傾けて形成した場合の見え方を示す説明図である。
図１４に示すように、穴Ｆ１及びＦ２を傾けて形成した場合、面Ｇ１及びＧ２の両方が見える角度範囲が、傾けない場合に比べて大幅に狭くなり、適正範囲となる距離を制限している。視野角の許容度が小さいので、距離Ａ′の位置で見た場合、面Ｇ２は見えてもＧ１は全く見えず、この位置から照準穴を覗いて方位合わせを行うことは不適切であることがわかる。【００３３】
本発明の第５の実施例の照準穴構成物及びアンテナの方位合わせ方法によれば、照準穴構成物の作業者目視側の開口部Ｃ側に、開口部Ｃに対して対称な位置に開口部の小さい穴Ｆ１及びＦ２を設け、開口部Ｃからの距離と視線の角度の両方が適正となる範囲から見た場合のみＦ１，Ｆ２の底面Ｇ１，Ｇ２が共に見える照準穴構成物を用いて、Ｇ１及びＧ２が均等に見える位置から照準を合わせるアンテナの方位合わせ方法としているので、作業者は、Ｆ１，Ｆ２の底面Ｇ１，Ｇ２を両方とも均等に見えることを確認して照準穴を覗くだけで、適正な距離及び角度で照準穴を覗くことができ、不慣れな作業者でも正しい位置からアンテナの方位合わせを行うことができ、方位合わせの精度を向上させることができる効果がある。【００３４】
また、穴Ｆ１及びＦ２の底面Ｇ１及びＧ２の色を周囲の色と異なる色にしたり、面Ｇ１，Ｇ２の裏に相当する照準穴構成物の壁を薄くして光を通すように形成することにより、面Ｇ１及びＧ２の両方が同じように見えているかどうかを確認しやすくする効果がある。【００３５】
更に、穴Ｆ１及びＦ２の開口部の大きさや深さを調整することにより、作業者が覗く場所の適正範囲を自由に変えることができ、アンテナの用途に応じた許容度でアンテナの方位を調整可能とすることができる効果がある。
【実施例６】
【００３６】
次に、本発明の第６の実施例となる照準穴構成物及びアンテナの方位を合わせる方法について図１５を用いて説明する。図１５（ａ）は、本発明の第６の実施例に係る照準穴構成物及びアンテナの方位合わせ方法を示す断面説明図であり、（ｂ）は、適正位置から覗いた場合の目標物の見え方を示す説明図である。
第５の実施例では、面Ｇ１及びＧ２の視野角を狭めるために照準穴構成物に埋め込まれた構成としたが、第６の実施例は、照準穴構成物の開口部Ｃ側の面上に面Ｇ１及びＧ２を有するマークを設け、面Ｇ１及びＧ２が見える視野角を狭める構成を備えている。【００３７】
図１５（ａ）に示すように、第６の実施例に係る照準穴構成物は、照準穴構成物の開口部Ｃ側の面上の開口部Ｃの上下に、マークＫ１及びＫ２を設けている。Ｋ１及びＫ２は、面Ｇ１及びＧ２と、Ｇ１及びＧ２を目視できる角度を狭める手段とを備えたマークである。【００３８】
具体的には、面Ｇ１及びＧ２は、第５の実施例と同様に目立つ明るい色で形成してある。視野角を狭める手段としては、例えば、面Ｇ１及びＧ２の周囲を囲む筒状に突起物を設けて、面Ｇ１及びＧ２の見える範囲を狭めたものが考えられる。また、レンズやプリズム等を用いて光を屈折させて視野角を狭めてもよい。又は、面Ｇ１及びＧ２そのものを、元々視野角が限定されている液晶素子や偏光素子を用いて形成することも可能である。
マークの数や形は、第５の実施例と同様に任意に変更可能である。【００３９】
そして、図１５（ｂ）に示すように、面Ｇ１及びＧ２の両方が見える範囲を限定して、適切な範囲から照準穴構成物を覗くことができるようにしている。
これにより、作業者は、単に面Ｇ１及びＧ２が両方とも均等に見えることを確認すれば、常に正しい距離及び角度で照準穴構成物を覗いてアンテナの方位合わせを行うことができ、作業者の習熟度によらず、アンテナの方位合わせの精度を向上させることができるものである。【００４０】
本発明の第６の実施例の照準穴構成物及びアンテナの方位合わせ方法によれば、照準穴構成物の作業者目視側の開口部Ｃ側に、開口部Ｃに対して対称な位置に、視野角を狭めた面Ｇ１，Ｇ２を備えたマークＫ１，Ｋ２を設け、開口部Ｃからの距離と視線の角度の両方が適正となる範囲から見た場合のみＫ１，Ｋ２の面Ｇ１，Ｇ２が共に見える照準穴構成物を用いて、Ｇ１及びＧ２が均等に見える位置から照準を合わせるアンテナの方位合わせ方法としているので、作業者は、マークＫ１，Ｋ２の面Ｇ１，Ｇ２を両方とも均等に見えることを確認して照準穴を覗くだけで、適正な距離及び角度で照準穴を覗くことができ、不慣れな作業者でも正しい位置からアンテナの方位合わせを行うことができ、方位合わせの精度を向上させることができる効果がある。【００４１】
また、第６の実施例の照準穴構成物では、マークＫ１，Ｋ２を外から取り付けた構成としているので、照準穴構成物とは異なる材質で形成することができ、デザインの自由度が上がり、また用途に応じて、マークＫ１及びＫ２の形状、付け外しや取り付け場所の変更、数の増減を容易に行うことができる効果がある。
【実施例７】
【００４２】
次に、本発明の第７の実施例となる照準穴構成物及びアンテナの方位を合わせる方法について図１６及び１７を用いて説明する。図１６は、本発明の第７の実施例に係る照準穴構成物の外観斜視図であり、（ａ）は裏面斜視図、（ｂ）は正面斜視図である。また、図１７（ａ）は、第７の実施例に係る照準穴構成物の正面図、（ｂ）は側面図、（ｃ）は裏面図である。
図１６（ａ）に示すように、第７の実施例に係る照準穴構成物１５は、第１〜第６の実施例と同様に、アンテナ１１の輪郭線から突出して取り付けられており、更に、アンテナ１１は、アンテナ取付金具１３によって取付ポール１２に固定されている。また、アンテナ取付金具１３には、仰角調整機構１４が設けられている。そして、作業者は、裏面側から照準穴構成物１５に設けられた照準穴を覗いてアンテナの方位調整を行うものである。【００４３】
第７の実施例の照準穴構成物１５は、図１６（ｂ）に示すように、開口径が異なる複数の照準穴１６ａ、１６ｂ、１６ｃを備えている。第３の実施例において、開口径が異なる複数の照準穴を設ける例を示したが、第７の実施例では、更に、各照準穴の形状を、第１の実施例に示したように、目標物側の開口部の穴径に対して作業者目視側の開口部の穴径を大きくした先細りの形状としている。図１６では明示されないが、裏面側の開口部が、正面側の開口部よりも大きくなっているものである。
ここでは、標準穴１６ａ、１６ｂ、１６ｃの開口径の大きさは、１６ａ（大）＞１６ｂ（中）＞１６ｃ（小）としている。【００４４】
そして、第７の実施例の照準穴構成物を用いてアンテナの方位合わせを行う場合には、第３の実施例の場合と同様に、まず、径の大きい照準穴１６ａで粗調整してから、１６ｂ、１６ｃの次で順次径の小さい照準穴に移行して微調整する。
また、目標物までの距離の違いによって、照準穴を使い分けることも可能であり、距離が近いときには、目標物の全体像が視野にはいるよう、径の大きい照準穴を用い、距離が遠いときには径の小さい照準穴を用いるようにする。
尚、距離が遠い場合には、いきなり小さい照準穴で合わせるのではなく、最初は大きい照準穴で目標物を視野に入れるよう粗調整し、その後小さい照準穴で細かく調整してもよい。
これにより、アンテナの方位合わせ作業を容易にし、効率を向上させることができるものである。【００４５】
更に、第７の実施例では、照準穴１６ａ、ｂ、ｃの作業者目視側の開口部の穴径を目標物側の開口部の穴径よりも大きく形成しているので、覗いたときの同心円のずれを大きく見せることができ、アンテナの方位合わせの精度を向上させることができるものである。【００４６】
また、上述した実施例１〜７の照準穴構成物としての方位合わせ器具は、アンテナと一体に形成されたものでもよく、又はアンテナとは別の独立した構成物として形成し、あとからアンテナに取り付けるようにしてもよい。【００４７】
ここで、アンテナとは別に構成される第７の実施例の方位合わせ器具の構成例について図１８，１９，２０を用いて説明する。図１８，１９は、第７の実施例の方位合わせ器具（構成例１）又は（構成例２）の斜視図及び照準穴の形状の説明図であり、図２０は、第７の実施例の方位合わせ器具（構成例３）の斜視図である。
第７の実施例の方位合わせ器具（構成例１）は、図１８（ａ）に示すように、アンテナとは別に構成され、アンテナに後付けされるものであって、上部に穴径の異なる照準穴１６ａ、ｂ、ｃを備え、下部には方位合わせ器具をアンテナにネジで固定する際のネジ留め用の穴２個を備えている。【００４８】
また、図１８（ｂ）に示すように、方位合わせ器具（構成例１）では、３つの照準穴は、何れも、孔の側面をテーパー状に形成して、作業者目視側の開口部の穴径を目標物側の穴径よりも大きくしている。【００４９】
図１９に示した方位合わせ器具（構成例２）は、（ａ）に示すように、照準穴１６ａ〜１６ｃを備えた上部と、ネジ留め穴を備えた下部とを一体に形成した構成であり、（ｂ）に示すように、目標物側の開口部に近い部分に段差部を設けることにより、目標物側の穴径を作業者目視側の穴径よりも大きく形成している。
また、構成例２の照準穴の形状を、図１８（ｂ）に示したようなテーパー状に形成しても構わない。同様に、構成例１の照準穴の形状を、図１９（ｂ）に示したような段差状に形成しても構わない。【００５０】
また、図２０に示すように、方位合わせ器具（構成例３）のように、表面に凹凸の少ない単純な形状とすることも可能であり、このようにすれば、方位合わせ器具の製造が容易になるものである。
構成例３の照準穴の形状は、図１８（ｂ）に示したようなテーパー状でも、図１９（ｂ）に示したような段差状でも構わない。
すなわち、図１８，１９の（ａ）及び図２０に示した各外形に対して、照準穴の形状は、テーパー状・段差状のいずれとしてもよいものである。【００５１】
本発明の第７の実施例の照準穴構成物及びアンテナの方位合わせ方法によれば、開口部の径の大きさが異なる複数の照準穴１６ａ，１６ｂ，１６ｃを備え、各照準穴は、作業者目視側の開口部の穴径を目標物側の開口部の穴径よりも大きく形成されている照準穴構成物１５を用いて、穴径の大きい照準穴で粗調整してから穴径の小さい照準穴で微調整して照準を合わせるアンテナの方位合わせ方法としているので、アンテナの方位合わせ作業の効率を向上させることができると共に、各照準穴の形状が先細りとなっているために各照準穴での同心円の判定をわかりやすくすることができ、方位合わせの精度を向上させることができる効果がある。
尚、ここでは照準穴の数を３個として説明したが、これに限るものではなく、２個又は４個以上であっても構わない。【００５２】
また、本発明の第１〜第７の実施例において、アンテナとは別の構造物として方位合わせ器具を形成することにより、アンテナの形状や、アンテナ設置位置、目標とするアンテナとの位置関係等の個別の条件に応じて、最適な外形及び穴形状を備えた方位合わせ器具をアンテナに取り付けて方位合わせを行うことができ、方位合わせの精度を向上させることができるものである。
更に、アンテナと方位合わせ器具とを別々に製造すると、各々の製造工程が簡単で製造コストが低減でき、一体に形成すると、方位合わせ器具のアンテナへの取り付け作業が不要となるという効果があり、ユーザの要求に応じて適宜選択すればよい。
【産業上の利用可能性】
【００５３】
本発明は、経済的かつ精度良くペンシルビームアンテナの方位を合わせることができ、更に作業に不慣れな作業者であっても適正な位置から方位合わせを行うことができ、方位合わせの精度を向上させることができるアンテナの方位合わせ方法に適している。
【図１】
0004579976.tif 000002
【図８】
0004579976.tif 000003
【図９】
0004579976.tif 000004
【図１６】
0004579976.tif 000005
【図１７】
0004579976.tif 000006
【図１８】
0004579976.tif 000007
【図１９】
0004579976.tif 000008
【図２０】
0004579976.tif 000009
【図２】
0004579976.tif 000010
【図３】
0004579976.tif 000011
【図４】
0004579976.tif 000012
【図５】
0004579976.tif 000013
【図６】
0004579976.tif 000014
【図７】
0004579976.tif 000015
【図１０】
0004579976.tif 000016
【図１１】
0004579976.tif 000017
【図１２】
0004579976.tif 000018
【図１３】
0004579976.tif 000019
【図１４】
0004579976.tif 000020
【図１５】
0004579976.tif 000021